(57)【要約】【課題】  携帯電話などの携帯端末において、次回電源起動時の初期セルサーチの対象を電源切断の前に予め指定しておくことで、起動時のセルサーチを高速に行う技術を提供する。【解決手段】  本発明は、携帯端末がアクセス可能なネットワーク上にあってセルサーチに必要な情報を提供する情報提供サーバと、次回電源起動時に最優先でサーチするセルの情報を事前に登録する手段を有する携帯端末とから構成されるセル探索システムに関する。【選択図】図１
2008227580.tif 000002
【特許請求の範囲】
【請求項１】
ネットワーク上でアクセス可能な情報提供サーバを利用してセル探索を行う携帯端末であって、
基地局のセル情報が格納されたセル情報データベースを備えた前記情報提供サーバから、電源切断以前に、ユーザが予定している移動先のセル情報を取得するセル情報取得手段と、
取得した前記移動先のセル情報を事前指定リストとして自己のメモリ内に記憶する記憶手段と、
次回電源起動時に、当該事前指定リストのセル情報を最優先で探索するセル探索手段を有することを特徴とする携帯端末。
【請求項２】
前記事前指定リストには、ネットワーク上で事業者を識別する事業者識別子、セルの周波数、およびスクランブルコードがセル情報として含まれることを特徴とする請求項１に記載の携帯端末。
【請求項３】
ネットワーク上でアクセス可能な情報提供サーバを利用した携帯端末のセル探索方法であって、
基地局のセル情報が格納されたセル情報データベースを備えた前記情報提供サーバから、電源切断以前に、ユーザが予定している移動先のセル情報を取得するセル情報取得ステップと、
取得した前記移動先のセル情報を事前指定リストとして自己のメモリ内に記憶する記憶ステップと、
次回電源起動時に、当該事前指定リストのセル情報を最優先で探索するセル探索ステップを有することを特徴とする携帯端末のセル探索方法。
【請求項４】
ネットワーク上でアクセス可能な情報提供サーバと携帯端末から構成されるセル探索システムであって、
前記情報提供サーバは、
基地局のセル情報が格納されたセル情報データベースと、前記携帯端末からの要求に応じ、セル探索に必要なセル情報を送信するセル情報送信手段を有し、
前記携帯端末は、
前記情報提供サーバから、電源切断以前に、ユーザが予定している移動先のセル情報を取得するセル情報取得手段と、取得した前記移動先のセル情報を事前指定リストとして自己のメモリ内に記憶する記憶手段と、次回電源起動時に、当該事前指定リストのセル情報を最優先で探索するセル探索手段を有することを特徴とするセル探索システム。
【請求項５】
情報提供サーバがネットワークで接続されたユーザの搭乗をチェックする自動チェックイン装置と非接触ＩＣ内蔵の携帯端末から構成されるセル探索システムであって、
前記自動チェックイン装置は、
前記携帯端末の非接触ＩＣのデータの読込み／書込みを行うリーダライタと、前記リーダライタを介して読み取った携帯端末からのチェックイン情報に基づいて、セル情報データベースを備えた情報提供サーバにアクセスするアクセス手段と、前記情報提供サーバから該当セル情報を取得して前記携帯端末に前記リーダライタを介して送信するセル情報送信手段を有し、
前記携帯端末は、
前記非接触ＩＣを介して、電源切断以前に、ユーザが予定している移動先のセル情報を前記自動チェックイン装置から取得するセル情報取得手段と、取得した前記セル情報を事前指定リストとして自己のメモリ内に記憶する記憶手段と、次回電源起動時に、当該事前指定リストのセル情報を最優先で探索するセル探索手段を有することを特徴とするセル探索システム。
【発明の詳細な説明】
【技術分野】
【０００１】
本発明は、通信機能を有した携帯電話を始めとする移動局とそのネットワークにおいてセルサーチの制御技術に関する。
【背景技術】
【０００２】
携帯電話の機能に、位置登録を行うために基地局を探す「セルサーチ」と呼ばれる機能がある。一般に、セルサーチは、携帯電話機の電源をオンにした時点で開始され（初期セルサーチ）、携帯電話システムに割り当てられた周波数帯域内を決められた周波数ステップで電波を走査し、基地局が発信している電波を受信できるか否かを検出して基地局を探すようにして行われる。
【０００３】
しかしながら、上記のような細かい周波数ステップでセルをサーチすることになるので周波数帯域を全て探索するにはかなりの時間を要する。
を持ってはじめての場所に移動する旅行者などにとっては大変不都合なことである。
【０００４】
セルサーチの時間を短縮する既存の方法としては、前回の電源ＯＦＦまでに位置登録に成功した周波数リストを自機の記憶部に記憶しておき、そのリストにある周波数だけを最初のセルサーチの対象にする方法などがある（例えば、特許文献１参照）。
【０００５】
この場合、まずリスト内の周波数のみをサーチ対象とし、リスト内で見つからない場合には、携帯電話システムに割り当てられた全周波数内を、決められた周波数ステップでサーチ（全周波サーチ）し基地局を探す。最初のリスト内で見つかれば、全周波サーチが不要となるのでセルサーチ時間の短縮となる。
【特許文献１】特開２００１−８６５６０号公報
【発明の開示】
【発明が解決しようとする課題】
【０００６】
しかしながら、例えば、航空機を利用して移動する旅行者を想定した場合、航空機では携帯電話の電源をＯＦＦにしなくてはならないが、初めて訪れる移動先の空港で電源ＯＮした場合、従来技術の初期セルサーチでは、前記周波数リストには移動先のデータは登録されていないため、リスト内からでは基地局は見つからず、全周波数サーチを行う必要がある。したがって、セルサーチには時間かかり、また、ユーザはセルサーチ中にはネットワークにアクセスすることが出来ないため、ユーザを待たせるといった問題があった。
【０００７】
そこで本発明の目的は、予め行き先がわかっている場合の起動時のセルサーチの高速化を実現する携帯電話などの携帯端末およびそのシステムを提供することにある。
【課題を解決するための手段】
【０００８】
第一の発明は、ネットワーク上でアクセス可能な情報提供サーバを利用してセル探索を行う携帯端末であって、基地局のセル情報が格納されたセル情報データベースを備えた前記情報提供サーバから、電源切断以前に、ユーザが予定している移動先のセル情報を取得するセル情報取得手段と、取得した前記移動先のセル情報を事前指定リストとして自己のメモリ内に記憶する記憶手段と、次回電源起動時に、当該事前指定リストのセル情報を最優先で探索するセル探索手段を有することを特徴とする携帯端末に関する。
【０００９】
すなわち、第一の発明によれば、携帯電話などに代表される携帯端末の持つネットワークアクセス機能により、セル情報取得手段が、電源を切断（ＯＦＦ）する以前に、ユーザが指定した移動先情報を情報提供サーバに送信し、この移動先情報に基づいて、情報提供サーバのセル情報データベースが検索され、その結果、携帯端末において、返送されてきた該当セル情報を取得して、記憶手段が、自己のメモリ内に事前指定リストとして記憶し、セル探索手段が、次回電源起動（ＯＮ）時に、登録された事前指定リストを最優先で探索処理する構成とすることによって、予め行先が判明している場合には、事前にセルの情報を登録しておくことで、初めて訪れる場所において電源を起動しても、従来の全周波サーチに比べ極めて短時間でセルサーチを完了することができ、セルサーチの間、ユーザを長く待たせることがなくなる。
【００１０】
また、セルの情報は、その都度、情報提供サーバから取得でき、常に最新の情報を保持することが可能なため、間違った情報を元に余計なセルサーチが行われることを防止することができる。
【００１１】
第二の発明は、前記事前指定リストには、ネットワーク上で事業者を識別する事業者識別子、セルの周波数、およびスクランブルコードがセル情報として含まれることを特徴とする第一の発明に記載の携帯端末に関する。
【００１２】
すなわち、第二の発明によれば、ユーザの指定した移動先情報によって取得し、メモリ部に登録される事前指定リストの項目としては、指定された移動先のセルにおいて、公衆移動通信網（ネットワーク）で特定される事業者番号である事業者識別子、セル周波数、スクランブルコードとすることによって、セルサーチでは、セル周波数、スクランブルコード、事業者識別子の順に探索されるが、セル周波数だけでなく、事業者識別子およびスクランブルコードが含まれることによって、リスト内の全部の周波数をサーチすることなく、さらに絞った探索を行うことができ、高速のセルサーチが実現される。
【００１３】
第三の発明は、ネットワーク上でアクセス可能な情報提供サーバと携帯端末から構成されるセル探索システムであって、前記情報提供サーバは、基地局のセル情報が格納されたセル情報データベースと、前記携帯端末からの要求に応じ、セル探索に必要なセル情報を送信するセル情報送信手段を有し、前記携帯端末は、前記情報提供サーバから、電源切断以前に、ユーザが予定している移動先のセル情報を取得するセル情報取得手段と、取得した前記移動先のセル情報を事前指定リストとして自己のメモリ内に記憶する記憶手段と、次回電源起動時に、当該事前指定リストのセル情報を最優先で探索するセル探索手段を有することを特徴とするセル探索システムに関する。
【００１４】
すなわち、第三の発明によれば、ネットワーク上で携帯端末からアクセス可能な情報提供サーバを介在させ、該情報提供サーバは、ユーザが予定している移動先における基地局のセル情報が格納されたセル情報データベースが備わり、携帯端末の電源をオフする前に、情報提供サーバにアクセスすることによって、移動先のセル情報が予め事前指定リストとして自己のメモリ内に登録されることとなり、次回電源起動時のセルサーチにおいて、この登録された事前指定リストが最優先で探索されるため、極めて高速なセル探索システムが提供される。
【００１５】
第四の発明は、情報提供サーバがネットワークで接続されたユーザの搭乗をチェックする自動チェックイン装置と非接触ＩＣ（Integrated Circuit）内蔵の携帯端末から構成されるセル探索システムであって、前記自動チェックイン装置は、前記携帯端末の非接触ＩＣのデータの読込み／書込みを行うリーダライタと、前記リーダライタを介して読み取った携帯端末からのチェックイン情報に基づいて、セル情報データベースを備えた情報提供サーバにアクセスするアクセス手段と、前記情報提供サーバから該当セル情報を取得して前記携帯端末に前記リーダライタを介して送信するセル情報送信手段を有し、前記携帯端末は、前記非接触ＩＣを介して、電源切断以前に、ユーザが予定している移動先のセル情報を前記自動チェックイン装置から取得するセル情報取得手段と、取得した前記セル情報を事前指定リストとして自己のメモリ内に記憶する記憶手段と、次回電源起動時に、当該事前指定リストのセル情報を最優先で探索するセル探索手段を有することを特徴とするセル探索システムに関する。
【００１６】
すなわち、第四の発明によれば、例えば、航空会社、鉄道会社などが提供するユーザの搭乗をチェックする自動チェックイン装置と連携した、事前指定リストの情報を取得するセル探索の仕組みとすることによって、非接触ＩＣのリーダライタを備えた自動チェックイン装置が、ネットワークを介して情報提供サーバに接続され、携帯端末内蔵の非接触ＩＣを利用したチェックインを行う際に、自動チェックインシステムは通常のチェックイン処理に加え、携帯端末のチェックイン情報を基づいて、情報提供サーバに事前指定リスト登録情報を問い合わせ、その結果、情報提供サーバから取得した事前指定リストは、非接触ＩＣを介して携帯端末に通知され、携帯端末は、当該事前指定リストを自己のメモリ内に保存することとなる。
【００１７】
本発明によって、ユーザは、チェックインを行うだけで、他のユーザ操作を一切行う必要はなく、自動的に所望の移動先のセル情報の登録が可能となる。
【発明の効果】
【００１８】
上記したように、予め携帯端末を所持するユーザの移動先が判明している場合には、ネットワーク上に携帯端末がアクセス可能な、セル情報をデータベースに蓄える情報提供サーバを介在させた移動通信システムにおいて、携帯端末の電源をＯＦＦする以前に、事前に予定する移動先のセル情報を情報提供サーバから取得し、自己のメモリ部に登録しておくことで、初めて訪れる場所において、電源ＯＮした場合の起動時セルサーチは、全周波サーチをする場合に比べ、大幅にセル探索の時間を短縮することができ、セルサーチの間ユーザを長く待たせる必要がなくなる。
【００１９】
また、セル情報はその都度サーバから取得するため、常に最新の情報を保持することが可能となり、間違った情報の基に、余計なセルサーチが行われることを防止する効果が生まれる。
【００２０】
さらに、航空会社、鉄道会社などが提供する携帯端末に搭載の非接触ＩＣによる自動チェックインシステムに連動させ、かつ、非接触ＩＣのリーダライタを備えた自動チェックインシステムがネットワークを介して情報提供サーバに接続されるシステム構成とすることによって、ユーザは、チェックインを行うだけで、他のユーザ操作を一切必要とせず、自動的に移動先のセル情報を取得し登録が可能となり、煩雑性が解消される。
【発明を実施するための最良の形態】
【００２１】
以下、図面にもとづいて本発明の実施形態を説明する。以下の実施例では、携帯端末として代表的に携帯電話を例に取り上げて説明する。
【００２２】
図１は、本発明の実施の形態になる携帯電話ネットワークのシステム構成を示す。本発明の携帯電話ネットワークは、携帯電話事業者毎に移動通信ネットワーク５（５ａ、５ｂ）が所有され、それらは相互に接続され、インターネット４にも接続されている。携帯電話１とは基地局３を通じて接続している。
【００２３】
実施例では、インターネット４内に各携帯電話事業者のセル情報を蓄積したセル情報ＤＢ２１（データベース）を備えた情報提供サーバ２を設置し、基地局３（３ａ、３ｂ、３ｃ、３ｄ）を通じて携帯電話１（１ａ、１ｂ、１ｃ）からのアクセスを可能な状態にしている。なお、セル情報を提供する情報提供サーバ２の設置場所は、インターネット上ではなく、各携帯電話事業者の移動通信ネットワーク５内に閉じて設置してもよい。
【００２４】
以下に、本発明の携帯電話ネットワークにおけるセルサーチの探索動作について説明する。
【００２５】
まず、ユーザは、予め移動前に移動先の情報を事前指定リストとして登録するための操作を行う。セル情報ＤＢ２１から事前指定リストを取得するため、ユーザは、所持する携帯電話１のディスプレイのブラウザ画面において必要事項を入力し、入力データをインターネット４を介して情報提供サーバ２に送信する。このとき、ユーザが指定するのは、例えば、航空機を利用するケースであれば、行き先の空港名、利用する航空便の便名など、通常、ユーザが知りうる簡単な情報によって、自身の携帯電話１のユーザインタフェースを通じて当該情報を指定する。
【００２６】
情報提供サーバ２は、ユーザの携帯電話１から指定した移動先情報に基づいて、セル情報ＤＢ２１を検索し、ユーザが指定した移動先のセルに該当する、ネットワーク事業者、周波数、スクランブルコードなどの検索結果を携帯電話１に返送する。
【００２７】
ユーザの携帯電話１は、当該検索結果を事前指定リストとして、自己のメモリ内に登録する。なお、事前指定リストには、複数のセルの情報を登録することも可能である。
【００２８】
図２は、本発明の実施の形態になる携帯電話の基本構成を示す。携帯電話１は、移動通信ネットワーク５とアンテナ１４を介して無線通信を行う無線部１５、無線通信する際のセルを検出するセル検出部１６、それらを制御する制御部１２と、ユーザの操作を受け付け、画面に表示するユーザＩＦ（インタフェース）部１３、および携帯電話１内の各種データを保存するメモリ部１７から構成されている。また、近接時の無線通信を実現する非接触ＩＣ（Integrated Circuit）１１を有する。
【００２９】
さらに、制御部１２は、情報提供サーバ２から事前指定リストを取得する事前リスト取得手段、および取得した事前指定リストをメモリ部１７に登録するリスト記憶手段を有する。本発明の携帯電話におけるセルサーチの動作を以下に説明する。
（１）セルサーチの高速化のために、前回使用周波数リストを保持し、初期セルサーチでは、まず、メモリ部１７に記憶させた前回使用リストの中から周波数をサーチする従来の技術に追加して、前回使用リストよりさらに優先度の高い「事前指定リスト」をメモリ部１７に保持し、ここに情報が登録されている場合には、前回使用周波数リストより先に、事前指定リストから探索することとなる。
（２）当該事前指定リストは、予め次に電源を起動（ＯＮ）する場所を、ユーザが電源を切断（ＯＦＦ）する前に指定する。その内容には、ネットワーク事業者、周波数、ＣＤＭＡ（Code Division Multiple Access ：符号分割多重アクセス）方式であればスクランブルコードなど、移動先を限定するセル情報を登録できるように設定する。
（３）登録に際しては、ユーザには、セル情報（周波数、スクランブルコード）は隠蔽する。ユーザは、空港名など、移動先の具体的な情報のみを指定し、携帯電話システム内では、当該情報を元に無線ネットワーク等を通じて移動先のセルの情報を随時取得することによって自動的に登録される。
【００３０】
図３は、本発明の実施の形態になる携帯電話において情報提供サーバから事前指定リストを取得する構成図を示す。実施例は、携帯電話１に備わるネットワークアクセス機能により、情報提供サーバ２にアクセスし、事前指定リストを取得する方法を示している。
【００３１】
携帯電話１の制御部１２は、ブラウザ画面から入力したユーザ指定の移動先情報を情報提供サーバ２に送信する。一方、情報提供サーバ２は、受信した当該移動先情報に基づいて、情報提供サーバ２内のセル情報ＤＢ２１を検索する。そして、携帯電話１の制御部１２は、検索結果から該当のリスト情報を取得し、携帯電話１のメモリ部１７内にある事前指定リスト保存領域に保存する。
【００３２】
なお、検索結果として指定先に複数のネットワーク事業者が存在する場合には、事前にユーザにどの事業者を選択するかを指定させることも可能とする。
【００３３】
国内のユーザが海外に移動するとき、契約している通信事業者のサービスを、その事業者のサービス範囲外でも、提携している他の事業者の設備を利用して受けられるローミングすることによって、海外でも使用可能となる。その場合、同じ場所で複数の事業者がサービスしている場合もあり、ユーザがアクセスする事業者を選択することとなる。
【００３４】
セルサーチで検出したセルが何処の事業者のものであるかは、そのセルの報知信号に含まれる情報の中にＰＬＭＮのＩＤ（図４、５参照）によって特定される。従来の技術では、セルサーチを行いその結果見つかった事業者の中からユーザが事業者を選択（あるいは、内部の優先度によって自動選択）するのに対し、本発明では、事前指定リストに事業者の情報を入れることによって、当該リストに複数の事業者がある場合、予めどちらの事業者にアクセスするかを決めることが可能となる。したがって、リスト内の全部の周波数をサーチすることなく、さらに絞った探索を行うことが可能となる。
【００３５】
図４は、本発明の実施の形態になるセル情報ＤＢのデータ構成例を示す。セル情報ＤＢ２１は、「項番」、「国名」、「都市名」、分類と名前からなる「場所」、「事業者ＰＬＭＮ（Public Land Mobile Network：公衆移動通信網）」、「周波数」、およびスクランブル「コード」の項目から構成されている。
【００３６】
「場所」は、ユーザが電源ＯＦＦして移動し、電源をＯＮする可能性のある場所であり、その内の「分類」は、ある程度絞ってデータベースを構築できるようにするもので、例えば、「鉄道の駅」、「空港」などが相当する。
【００３７】
また、「事業者ＰＬＭＮ」は、公衆移動通信網において特定される事業者番号であり、国番号と事業者の網番号から構成されている。
【００３８】
さらに、「コード」は、基地局の各セルが固有のスクランブルコードであり、携帯電話は、まず周波数を探索し、次にその周波数の波のスクランブルコードを探索することによりセルサーチが行われる。ＣＤＭＡ式の携帯電話では、事前指定リストには、周波数だけでなく、このスクランブルコードも含めることで更なる高速化が期待される。
【００３９】
図５は、本発明の実施の形態になる携帯電話において登録される事前指定リストのデータ構成例を示す。事前指定リストは、情報提供サーバ２のセル情報ＤＢ２１における検索結果を携帯電話１のメモリ部１７に登録されるデータであり、「項番」、「事業者ＰＬＭＮ」、および「コード」の項目からなる複数のレコードで構成されている。例えば、「項番」１は、「事業者ＰＬＭＮ」は、１２３・１１（国番号：１２３、事業者網番号：１１）、および「コード」は、１００が登録されている。
【００４０】
図６は、本発明の実施の形態になる事前指定リストを取得する際の携帯電話のブラウザ画面例を示す。ブラウザ画面は、情報提供サーバ２におけるセル情報ＤＢ２１から取得したい情報を絞り込むためのデータ入力用画面であり、設定メニュー領域１００、データ入力領域１０１、および承認ボタン領域１０２から構成されている。以下の実施例では、ユーザが航空機を利用して移動した場合についての例を示している。
【００４１】
設定メニュー領域２００では、携帯電話の設定メニューとして「移動先情報取得」がプルダウンメニューから選択される。データ入力領域２０１には、行き先、地域、移動手段、および空港名の入力欄を設け、例として、それぞれ「日本国内」、「北海道」、「航空便」、および「新千歳空港」が入力されている。また、承認ボタン領域２０２には、「キャンセル」、「ＯＫ」ボタンを設けている。
【００４２】
図７は、本発明の実施の形態になる非接触ＩＣを利用した事前指定リストの取得方法を表す図である。本実施例は、各航空会社が提供する自動チェックインシステムなどに連動して、非接触ＩＣ搭載の携帯電話によって事前指定リストを取得する方法を示しており、上記してきたように、携帯電話／情報提供サーバ間で直接データの受け渡しをするのではなく、非接触ＩＣ対応の自動チェックインシステムを両者間に介在させた場合を例としている。実施例では、航空機を利用した場合を例に取り上げたが、本発明はこれに限定されるものではなく、鉄道等の乗物チケットをチェックするチケット改札システムとの連携であってもよい。
【００４３】
非接触ＩＣのデータを読み取る非接触ＩＣ読取機１０１を内蔵した自動チェックイン装置１００は、ネットワークを介して情報提供サーバ２に接続されている。携帯電話１の非接触ＩＣ１１を利用したチェックインを行う際に、自動チェックインシステム１００は、通常のチェックイン処理に加え、チェックイン情報に基づいて、情報提供サーバ２に事前指定リスト登録情報を問い合わせる。情報提供サーバ２から取得した事前指定リスト登録情報は、非接触ＩＣ１１を通じて携帯電話１に通知され、携帯電話１の制御部１２は、メモリ部１７内にある事前指定リスト保存領域に保存する。
【００４４】
以上のように、搭乗手続き（チェックイン）を行うだけで、その他のユーザ操作を一切行うことなしに自動でリスト登録することが可能になる。
【００４５】
事前指定リストが登録された後、ユーザは電源をＯＦＦして航空機で移動する。そして、移動先に到着した際に、ユーザが携帯電話１を使用するために、電源をＯＮした時点で、制御部１２では、位置登録を行うために初期セルサーチの実施をセル検出部１６に指示する。このときの処理フローを図８に示す。
【００４６】
図８は、本発明の実施の形態になる起動時におけるセルサーチの処理フローを示す。まず、ステップＳ１１において、携帯電話１内のメモリ部１７を参照し、事前指定リストが登録されているかを判定する。事前指定リストが登録されていれば、ステップＳ１２において、事前指定リスト内のセルの周波数だけを探索し、ステップＳ１３において、有効となるセルが存在するか否かを判定する。有効セルが存在すれば、ステップＳ１４において、ネットワークにおける自己位置を特定する位置登録を実施する。こうして電源ＯＮ時に位置登録を行うことによって、その後の携帯電話の一般的なサービスが利用可能な状態となる。そして、ステップＳ１５において、当該セル情報は、事前指定リストから削除し、前回使用リストに登録する。
【００４７】
もし、事前指定リスト内から見つからなかった場合には、前回使用リスト、全周波サーチと、徐々に範囲を広げて、以降のサーチ処理を行う。
【００４８】
ステップＳ１１において、事前指定リストの登録がない場合、また、ステップＳ１３において、事前指定リスト内の周波数サーチにおいて有効セルが見つからなかった場合には、ステップＳ１６において、前回使用リストとしての登録があるかを判定する。登録されていれば、ステップＳ１９において、前回使用リスト内のセルの周波数のみをサーチする。そして、ステップＳ１８において、該当する有効セルが存在するか否かを判定し、有効セルがあれば、ステップＳ１４の位置登録処理、ステップＳ１５の前回使用リストへの登録処理を行って終了とする。
【００４９】
さらに、ステップＳ１６において前回使用リストに登録されていない場合、また、ステップＳ１８の前回使用リスト内の周波数サーチで該当する有効セルが見つからなかった場合には、ステップＳ１９において、全周波数にわたってのセルサーチを行う。
【００５０】
ステップＳ２０において、全周波数について該当する有効セルの存在を判定し、該当する有効セルが存在すれば、同様にステップＳ１４、１５の処理を行う。また、有効セルがなければ、ステップＳ１１に戻って、以降の処理を繰り返す。
【図面の簡単な説明】
【００５１】
【図１】本発明の実施の形態になる携帯電話ネットワークのシステム構成を示す図である。
【図２】本発明の実施の形態になる携帯電話の基本構成を示す図である。
【図３】本発明の実施の形態になる携帯電話において情報提供サーバから事前指定リストを取得する構成図である。
【図４】本発明の実施の形態になるセル情報ＤＢのデータ構成例を示す図である。
【図５】本発明の実施の形態になる携帯電話において登録される事前指定リストのデータ構成例を示す図である。
【図６】本発明の実施の形態になる事前指定リストを取得する際の携帯電話のブラウザ画面例を示す図である。
【図７】本発明の実施の形態になる非接触ＩＣを利用した事前指定リストの取得方法を表す図である。
【図８】本発明の実施の形態になる起動時におけるセルサーチの処理フローを示す図である。
【符号の説明】
【００５２】
１  携帯電話（１ａ、１ｂ、１ｃ）
２  情報提供サーバ
３  基地局（３ａ、３ｂ、３ｃ、３ｄ）
４  インターネット
５  移動通信ネットワーク（５ａ、５ｂ）
１１  非接触ＩＣ
１２  制御部
１３  ユーザＩＦ（インタフェース）
１４  （携帯用）アンテナ
１４’（非接触ＩＣ用）アンテナ
１５  無線部
１６  セル検出部
１７  メモリ部
２１  セル情報ＤＢ（データベース）
１００  自動チェックイン装置
１０１  （非接触ＩＣ）リーダライタ
【図１】
2008227580.tif 000003
【図２】
2008227580.tif 000004
【図３】
2008227580.tif 000005
【図４】
2008227580.tif 000006
【図５】
2008227580.tif 000007
【図６】
2008227580.tif 000008
【図７】
2008227580.tif 000009
【図８】
2008227580.tif 000010